(57)【要約】【課題】信頼性を向上させ、製造費用を減少させ、品質を向上させることができるバックライトアセンブリ及びそれを含む表示装置を提供する。【解決手段】バックライトアセンブリは、発光部、導光板、及び下部収納容器を備える。発光部は光を発生する。導光板は光が入射される側面及び側面を介して提供を受ける光をガイドして出射する出射面を含む。下部収納容器は、発光部及び導光板を収納し、発光部の熱を伝達するヒートシンク部及びヒートシンク部に比べて強度の強い剛性部を含む。【選択図】図３
2013041811.tif 000002
【特許請求の範囲】
【請求項１】
光を発生する発光部と、
前記光が入射される側面及び該側面を介して提供を受ける前記光をガイドして出射する出射面を含む導光板と、
前記発光部及び前記導光板を収納し、前記発光部の熱を伝達するヒートシンク部及び該ヒートシンク部に比べて強度の強い剛性部を含む下部収納容器と、を備えることを特徴とするバックライトアセンブリ。
【請求項２】
前記ヒートシンク部は、前記発光部の下部に配置されることを特徴とする請求項１に記載のバックライトアセンブリ。
【請求項３】
前記ヒートシンク部は、前記剛性部と締結されて該剛性部から延長されることを特徴とする請求項１に記載のバックライトアセンブリ。
【請求項４】
前記ヒートシンク部はアルミニウム物質を含み、前記剛性部は亜鉛物質を含むことを特徴とする請求項１に記載のバックライトアセンブリ。
【請求項５】
前記導光板の側面は、隣接した両側の側面に対して傾斜し、前記導光板のコーナーに配置されたコーナー面を有することを特徴とする請求項１に記載のバックライトアセンブリ。
【請求項６】
前記発光部は、
前記光を発生するための電源が印加される印刷回路基板と、
前記印刷回路基板上に実装される発光チップと、を含むことを特徴とする請求項１に記載のバックライトアセンブリ。
【請求項７】
前記導光板と前記下部収納容器との間に配置されて前記導光板から漏洩する光を反射する反射シートを更に含み、
前記ヒートシンク部は、前記反射シートを支持する第１突出部を含むことを特徴とする請求項１に記載のバックライトアセンブリ。
【請求項８】
前記導光板と前記下部収納容器との間に配置されて前記導光板から漏洩する光を反射する反射シートを更に含み、
前記下部収納容器は、前記ヒートシンク部上に配置され、前記反射シートと接触して前記反射シートを支持するサブヒートシンク部を更に含むことを特徴とする請求項１に記載のバックライトアセンブリ。
【請求項９】
前記ヒートシンク部は、前記剛性部上に配置されることを特徴とする請求項１に記載のバックライトアセンブリ。
【請求項１０】
光を発生する発光部、前記光が入射される側面及び該側面を介して提供を受ける前記光をガイドして出射する出射面を含む導光板、並びに前記発光部及び前記導光板を収納し、前記発光部の熱を伝達するヒートシンク部及び該ヒートシンク部に比べて強度の強い剛性部を含む下部収納容器を含むバックライトアセンブリと、
前記出射面から出射された前記光を利用して画像を表示する表示パネルと、を備えることを特徴とする表示装置。
【発明の詳細な説明】
【技術分野】
【０００１】
本発明は、バックライトアセンブリ及びそれを含む表示装置に関し、より詳細には、光源を有するバックライトアセンブリ及びそれを含む表示装置に関する。
【背景技術】
【０００２】
最近では、液晶表示装置、電気泳動表示装置、及びＭＥＭＳ（Ｍｉｃｒｏ  Ｅｌｅｃｔｒｏ  Ｍｅｃｈａｎｉｃａｌ  Ｓｙｓｔｅｍ）表示装置をはじめとする表示装置の光源として発光ダイオード（Ｌｉｇｈｔ  Ｅｍｉｔｔｉｎｇ  Ｄｉｏｄｅ：ＬＥＤ）が利用されている。発光ダイオードは、印刷回路基板に実装され、印刷回路基板から極性が互いに異なる電源の伝達を受けて発光する。
【０００３】
しかし、発光ダイオードは熱を発生し、発光ダイオードから発生した熱は表示装置の構成要素の導光板及び表示パネルなどに損傷を招くことになる。
従って、発光ダイオードを収納する下部収納容器は、他の材質に比べて熱伝達度が優秀なアルミニウムからなることがある。
しかし、アルミニウムは強度が弱く単価が高いので表示装置の信頼性を低下させ、表示装置の製造費用を上昇させる問題点がある。
また、発光ダイオードは、導光板の側面の中、長側面又は短側面と向き合って配置される。導光板と対向する発光ダイオードの個数が多いほど発光ダイオードから発生する光の均一度は増加するが、表示装置の製造費用が上昇する問題点がある。
【０００４】
最近では、表示装置の費用を減少させるために、発光ダイオードの光量を増加させ、導光板と対向して配置される発光ダイオードの個数を減少させるものがある。しかし、発光ダイオードの個数が減少することによって発光ダイオードの離隔距離が長くなり、発光ダイオードから発生する光の導光板の側面で均一でないホットスポット（ｈｏｔ  ｓｐｏｔ）が発生して表示装置の品質を低下させる問題点がある。
【先行技術文献】
【特許文献】
【０００５】
【特許文献１】米国特許出願公開２０１１／０００７２３６号明細書
【特許文献２】特開２００８−０５３２３６号公報
【特許文献３】米国特許出願公開２０１１／００２５９４２号明細書
【特許文献４】米国特許出願公開２００９／０１１６２６２号明細書
【発明の概要】
【発明が解決しようとする課題】
【０００６】
そこで、本発明は上記従来の問題点に鑑みてなされたものであって、本発明の目的は、表示装置の信頼性を向上させ、製造費用を減少させ、品質を向上させるバックライトアセンブリを提供することにある。
本発明の他の目的は、このバックライトアセンブリを含む表示装置を提供することにある。
【課題を解決するための手段】
【０００７】
上記目的を達成するためになされた本発明の一態様によるバックライトアセンブリは、発光部、導光板、及び下部収納容器を備える。前記発光部は光を発生する。前記導光板は前記光が入射される側面及び該側面を介して提供を受ける前記光をガイドして出射する出射面を含む。前記下部収納容器は、前記発光部及び前記導光板を収納し、前記発光部の熱を伝達するヒートシンク部及び該ヒートシンク部に比べて強度の強い剛性部を含む。
【０００８】
前記ヒートシンク部は、前記発光部の下部に配置することができる。
前記ヒートシンク部は、前記剛性部と締結されて該剛性部から延長することができる。
前記ヒートシンク部はアルミニウム物質を含み、前記剛性部は亜鉛物質を含むことができる。
前記導光板の側面は、隣接した両側の側面に対して傾斜し、前記導光板のコーナーに配置されたコーナー面を有することができる。
前記発光部は、前記コーナー面と対向することができる。
前記導光板の側面は、前記コーナー面の両側に配置された短側面及び長側面を含み、前記発光部は前記短側面と対向することができる。
前記発光部は、前記コーナー面と対向する位置から前記短側面と対向する位置に延びることができる。
前記ヒートシンク部は、前記剛性部と接触する底面及び該底面から垂直に延長する側壁を含むことができ、前記側壁は、隣接した両側壁に対して傾斜して前記ヒートシンク部のコーナーに配置されたコーナー側壁を有することができる。
前記発光部は、前記光を発生するための電源が印加される印刷回路基板、及び前記印刷回路基板上に配置される発光チップを含むことができる。
前記印刷回路基板は、曲がることができる。
前記印刷回路基板は、メタルコア印刷回路基板（ｍｅｔａｌ  ｃｏｒｅ  ｐｒｉｎｔｅｄ  ｃｉｒｃｕｉｔ  ｂｏａｒｄ：ＭＣＰＣＢ）であることができる。
前記バックライトアセンブリは、前記導光板と前記下部収納容器との間に配置されて前記導光板から漏洩する光を反射する反射シートを更に含むことができ、前記ヒートシンク部は、前記反射シートを支持する第１突出部を含むことができる。
前記ヒートシンク部が、前記第１突出部を介して前記反射シートと接触する面積は、前記ヒートシンク部が前記反射シートと接触しない面積に比べて小さくすることができる。
前記バックライトアセンブリは、前記導光板と前記下部収納容器との間に配置され、前記導光板から漏洩する光を反射する反射シートを更に含むことができ、前記下部収納容器は前記ヒートシンク部上に配置され、前記反射シートと接触して前記反射シートを支持するサブヒートシンク部を更に含むことができる。
前記ヒートシンク部は、前記剛性部上に配置することができる。
前記ヒートシンク部は、前記剛性部と締結されて該剛性部から延長する底面及び該底面から垂直に延長して前記導光板の側面と対向する側壁を含むことができる。
前記発光部は、前記ヒートシンク部の側壁に付着して前記導光板の側面と対向することができる。
【０００９】
上記目的を達成するためになされた本発明の一態様による表示装置は、バックライトアセンブリ及び表示パネルを備える。前記バックライトアセンブリは、発光部、導光板、及び下部収納容器を含む。前記発光部は光を発生する。前記導光板は、前記光が入射される側面及び該側面を介して提供を受ける前記光をガイドして出射する出射面を含む。前記下部収納容器は、前記発光部及び前記導光板を収納し、前記発光部の熱を伝達するヒートシンク部及び該ヒートシンク部に比べて強度の強い剛性部を含む。前記表示パネルは、前記出射面から出射された前記光を利用して画像を表示する。
前記ヒートシンク部は、前記発光部の下部に配置することができる。
【発明の効果】
【００１０】
本発明のバックライトアセンブリ及びそれを含む表示装置によれば、表示装置の発光部、導光板、及び表示パネルを収納する下部収納容器が、ヒートシンク部及び剛性部を含むので、発光部の熱を外部に放出することができ、下部収納容器の強度を増加させることができる。従って、表示装置の信頼性を向上させることができる。また、下部収納容器において、アルミニウムに比べて単価が安い亜鉛物質を含む剛性部の面積がヒートシンク部の面積に比べて広いので、表示装置の製造費用を減少させることができる。
また、発光部が導光板のコーナーに配置されたコーナー面と対向するので、発光部の光が不均一なホットスポット発生を防止して、表示装置の品質を向上させることができる
【図面の簡単な説明】
【００１１】
【図１】本発明の第１実施形態による表示装置の分解斜視図である。
【図２】図１の「Ａ」部分を示す平面図である。
【図３】図１のＩ−Ｉ’線に沿って切断した断面図である。
【図４】本発明の第２実施形態による表示装置を示す断面図である。
【図５】本発明の第３実施形態による表示装置を示す断面図である。
【図６】本発明の第４実施形態による表示装置を示す断面図である。
【図７】図６に示した発光部、ヒートシンク部、及び剛性部の一部を示す斜視図である。
【発明を実施するための形態】
【００１２】
以下、本発明のバックライトアセンブリ及びそれを含む表示装置を実施するための形態の具体例を、図面を参照しながら詳細に説明する。
【００１３】
＜第１実施形態＞
図１は、本発明の第１実施形態による表示装置の分解斜視図であり、図２は、図１の「Ａ」部分を示す平面図であり、図３は、図１のＩ−Ｉ’線に沿って切断した断面図である。
【００１４】
図１〜図３を参照すると、本実施形態による表示装置１００は、上部収納容器１１０、表示パネル１２０、及びバックライトアセンブリ２００を含む。
【００１５】
上部収納容器１１０は、表示パネル１２０の上部に配置されて、外部の衝撃から表示パネル１２０を保護し、上部収納容器１１０の上面には表示パネル１２０の表示領域を外部に露出させるウインドウが形成されている。
【００１６】
表示パネル１２０は、薄膜トランジスタ基板１２２、カラーフィルタ基板１２４、及び液晶層（図示せず）を含む。薄膜トランジスタ基板１２２は、第１ベース基板、薄膜トランジスタ、及び画素電極を含む。カラーフィルタ基板１２４は、薄膜トランジスタ基板１２２と対向して、第２ベース基板、カラーフィルタ、及び共通電極を含む。液晶層は、薄膜トランジスタ基板１２２とカラーフィルタ基板１２４との間に介在し、液晶層の液晶は、薄膜トランジスタ基板１２２の画素電極とカラーフィルタ基板１２４の共通電極との間に形成された電界によって配向される。表示パネル１２０は、バックライトアセンブリ２００に含まれる導光板２２０の出射面２２４から出射する光を利用して画像を表示する。
【００１７】
バックライトアセンブリ２００は、表示パネル１２０の下部に配置されて表示パネル１２０に光を提供する。
【００１８】
バックライトアセンブリ２００は、発光部２１０、導光板２２０、光学シート２３０、反射シート２４０、及び下部収納容器２５０を含む。
【００１９】
発光部２１０は、印刷回路基板２１２及び発光チップ２１４を含む。印刷回路基板２１２には発光チップ２１４に駆動電圧を供給するための信号配線が形成され、発光チップ２１４は印刷回路基板２１２上に実装されて印刷回路基板２１２から駆動電圧を受信して光を発生する。例えば、発光チップ２１４は、発光ダイオード（Ｌｉｇｈｔ  Ｅｍｉｔｔｉｎｇ  Ｄｉｏｄｅ：ＬＥＤ）であり、印刷回路基板２１２は発光チップ２１４から発生した熱を伝達するためのメタルコア印刷回路基板（Ｍｅｔａｌ  Ｃｏｒｅ  Ｐｒｉｎｔｅｄ  Ｃｉｒｃｕｉｔ  Ｂｏａｒｄ：ＭＣＰＣＢ）でありうる。
【００２０】
導光板２２０は、発光部２１０の一側に配置されて、発光部２１０から発生した光を入射し、光をガイドして出射面２２４を介して表示パネル１２０側に出射する。導光板２２０の側面は、短側面２２１、長側面２２２、及びコーナー面２２３を含む。短側面２２１は、表示パネル１２０の短辺と平行した方向に対応し、長側面２２２は、表示パネル１２０の長辺と平行した方向に対応し、コーナー面２２３は、短側面２２１及び長側面２２２に対して傾斜し、短側面２２１と長側面２２２との間の導光板２２０のコーナーに配置される。
【００２１】
発光部２１０は、導光板２２０の１つ以上の側面と対向して配置されうる。一実施形態として、発光部２１０は、導光板２２０の短側面２２１と対向して配置され、導光板２２０のコーナー面２２３に対向して配置される。また、一実施形態として、発光チップ２１４が実装された印刷回路基板２１２は曲がることができ、これによって、発光部２１０はコーナー面２２３と対向する位置から短側面２２１と対向する位置に延びることができ、コーナー面２２３と対向する位置から長側面２２２と対向する位置に延びることができる。
【００２２】
光学シート２３０は、導光板２２０の上部に配置されて、導光板２２０から出射する光の効率を増加させる。光学シート２３０は、拡散シート、プリズムシート、及び集光シートを含むことができる。
【００２３】
反射シート２４０は、導光板２２０の下部と下部収納容器２５０との間、及び発光部２１０の下部と下部収納容器２５０との間に配置され、発光部２１０から漏洩した光及び導光板２２０から漏洩した光を反射する。
【００２４】
下部収納容器２５０は、上部収納容器１１０と結合して、反射シート２４０、導光板２２０、発光部２１０、光学シート２３０、及び表示パネル１２０を収納する。
【００２５】
下部収納容器２５０は、ヒートシンク部２５２及び剛性部２５４を含む。ヒートシンク部２５２の一端及び剛性部２５４の一端は締結部材２５６を介して締結される。例えば、締結部材２５６はスクリュー又はボルトである。発光部２１０の印刷回路基板２１２がメタルコア印刷回路基板である場合、印刷回路基板２１２の背面は、他の金属物質に比べて熱伝導率が相対的に高いアルミニウム物質を含む。また、ヒートシンク部２５２は、アルミニウム物質を含むことができる。従って、発光部２１０は、ヒートシンク部２５２にスクリュー又はボルトのような締結部材を介して結合することができ、これによって、ヒートシンク部２５２及び剛性部２５４が締結された下部収納容器２５０に発光部２１０を結合することができる。
【００２６】
ヒートシンク部２５２は、発光部２１０が配置された位置の下部に配置され、発光部２１０から発生した熱を外部に放出する。
【００２７】
ヒートシンク部２５２は、剛性部２５４と接触する底面２５２ａ、及び底面２５２ａから垂直に延長される側壁２５２ｂを含む。側壁２５２ｂは、隣接した両側側壁に対して傾斜してヒートシンク部２５２のコーナーに配置され、導光板２２０のコーナー面２２３と対向するコーナー側壁２５８を含む。導光板２２０のコーナー面２２３と対向する発光部２１０の印刷回路基板２１２は、下部収納容器２５０のコーナー側壁２５８に配置される。即ち、印刷回路基板２１２の前面は導光板２２０のコーナー面２２３と向き合って、印刷回路基板２１２の背面は下部収納容器２５０のコーナー側壁２５８と対向する。
【００２８】
剛性部２５４は、ヒートシンク部２５２に比べて広い面積を有し、ヒートシンク部２５２に比べて強度が強い。例えば、剛性部２５４は亜鉛物質を含む亜鉛めっき鋼板（ＳＥＣＣ）でありうる。従って、剛性部２５４は下部収納容器２５０の強度を向上させる。
【００２９】
表示装置１００は、モールドフレーム１３０を更に含むことができる。モールドフレーム１３０は、表示パネル１２０と光学シート２３０との間に配置されて表示パネル１２０を支持し、導光板２２０、光学シート２３０、及び反射シート２４０を下部収納容器２５０に固定させる。
【００３０】
本実施形態によると、下部収納容器２５０がアルミニウム物質を含むヒートシンク部２５２を含むので、発光部２１０から発生する熱を外部に放出することができる。また、下部収納容器２５０が亜鉛物質を含んでヒートシンク部２５４に比べて広い面積を有する剛性部２５４を含むので、下部収納容器２５０の強度を向上させることができる。
【００３１】
＜第２実施形態＞
図４は、本発明の第２実施形態による表示装置を示す断面図である。
【００３２】
本実施形態による図４の表示装置３００は、第１実施形態による図３の表示装置１００と比較してバックライトアセンブリ４００の下部収納容器４５０を除いては、図３の表示装置１００と実質的に同一である。従って、図３と同じ部材は同じ参照符号で示し、繰り返しになる詳細な説明は省略する。
【００３３】
図４を参照すると、本実施形態による表示装置３００は、上部収納容器１１０、表示パネル１２０、及びバックライトアセンブリ４００を含む。
【００３４】
バックライトアセンブリ４００は、発光部２１０、導光板２２０、光学シート２３０、反射シート２４０、及び下部収納容器４５０を含む。
【００３５】
下部収納容器４５０は、ヒートシンク部４５２及び剛性部４５４を含む。ヒートシンク部４５２の一端及び剛性部４５４の一端は締結部材４５６を介して締結される。例えば、締結部材４５６はスクリュー又はボルトである。発光部２１０の印刷回路基板２１２がメタルコア印刷回路基板である場合、印刷回路基板２１２の背面は、他の金属物質に比べて熱伝導率が相対的に高いアルミニウム物質を含む。また、ヒートシンク部４５２は、アルミニウム物質を含むことができる。従って、発光部２１０は、ヒートシンク部４５２にスクリュー又はボルトのような締結部材を介して結合することができ、これによって、ヒートシンク部４５２及び剛性部４５４が締結された下部収納容器４５０に発光部２１０を結合することができる。
【００３６】
剛性部４５４の厚さは、ヒートシンク部４５２の厚さに比べて薄い。例えば、剛性部４５４の厚さは０．８ｍｍであり、ヒートシンク部４５２の厚さは２ｍｍでありうる。
【００３７】
ヒートシンク部４５２は、発光部２１０が配置された位置の下部に配置され、発光部２１０から発生した熱を外部に放出する。
【００３８】
ヒートシンク部４５２は、剛性部４５４と接触する底面４５２ａ、及び底面４５２ａから垂直に延長される側壁４５２ｂを含む。
【００３９】
ヒートシンク部４５２の底面４５２ａは、反射シート２４０を支持する第１突出部４５５を含む。ヒートシンク部４５２は、第１突出部４５５を介して反射シート２４０と接触し、ヒートシンク部４５２が第１突出部４５５を介して反射シート２４０と接触する面積は、反射シート２４０と接触しない面積に比べて狭い。第１突出部４５５によって離隔されたヒートシンク部４５２と反射シート２４０との間には空気４５９が満たされる。ヒートシンク部４５２と反射シート２４０との間に空気４５９が満たされるので、ヒートシンク部４５２の熱が反射シート２４０、導光板２２０、及び表示パネル１２０に伝わることを防止することができる。側壁４５２ｂには発光部２１０の印刷回路基板２１２が配置される。
【００４０】
剛性部４５４は、ヒートシンク部４５２に比べて広い面積を有し、ヒートシンク部４５２に比べて強度が強い。例えば、剛性部４５４は亜鉛物質を含む亜鉛めっき鋼板（ＳＥＣＣ）でありうる。従って、剛性部４５４は下部収納容器４５０の強度を向上させる。また、剛性部４５４は第２突出部４５７を含む。第２突出部４５７は、反射シート２４０と接触して反射シート２４０を支持する。
【００４１】
ヒートシンク部４５２の第１突出部４５５及び剛性部４５４の第２突出部４５７は、反射シート２４０を支持するが、ヒートシンク部４５２の熱が反射シート２４０に伝わることを防止するために、第１突出部４５５及び反射シート２４０の接触面積は、第２突出部４５７及び反射シート２４０の接触面積に比べて狭い。
【００４２】
本実施形態によると、発光部２１０の熱を伝達するヒートシンク部４５２が反射シート２４０に接触する面積が、接触しない面積に比べて狭いので、ヒートシンク部４５２の熱が導光板２２０及び表示パネル１２０に伝わることを防止することができる。従って、導光板２２０及び表示パネル１２０が熱によって損傷することを防止することができる。
【００４３】
＜第３実施形態＞
図５は、本発明の第３実施形態による表示装置を示す断面図である。
【００４４】
本実施形態による図５の表示装置５００は、第１実施形態による図３の表示装置１００と比較してバックライトアセンブリ６００の下部収納容器６５０を除いては、図３の表示装置１００と実質的に同一である。従って、図３と同じ部材は同じ参照符号で示し、繰り返しになる詳細な説明は省略する。
【００４５】
図５を参照すると、本実施形態による表示装置５００は、上部収納容器１１０、表示パネル１２０、及びバックライトアセンブリ６００を含む。
【００４６】
バックライトアセンブリ６００は、発光部２１０、導光板２２０、光学シート２３０、反射シート２４０、及び下部収納容器６５０を含む。
【００４７】
下部収納容器６５０は、ヒートシンク部６５２、剛性部６５４、及びサブヒートシンク部６５５を含む。ヒートシンク部６５２の一端及び剛性部６５４の一端は第１締結部材６５６を介して締結される。例えば、第１締結部材６５６はスクリュー又はボルトである。発光部２１０の印刷回路基板２１２がメタルコア印刷回路基板である場合、印刷回路基板２１２の背面は、他の金属物質に比べて熱伝導率が相対的に高いアルミニウム物質を含む。また、ヒートシンク部６５２は、アルミニウム物質を含むことができる。従って、発光部２１０は、ヒートシンク部６５２にスクリュー又はボルトのような締結部材を介して結合することができ、これによって、ヒートシンク部６５２及び剛性部６５４が締結された下部収納容器６５０に発光部２１０を結合することができる。
【００４８】
ヒートシンク部６５２は、発光部２１０が配置された位置の下部に配置され、発光部２１０から発生した熱を外部に放出する。
【００４９】
ヒートシンク部６５２は、剛性部６５４と接触する底面６５２ａ、及び底面６５２ａから垂直に延長される側壁６５２ｂを含む。底面６５２ａ上にはサブヒートシンク部６５５が配置され、側壁６５２ｂには発光部２１０の印刷回路基板２１２が配置される。
【００５０】
サブヒートシンク部６５５は、ヒートシンク部６５２の底面６５２ａ上に配置され、第２締結部材６５８を介してヒートシンク部６５２と締結することができる。例えば、第２締結部材６５８はスクリュー又はボルトである。サブヒートシンク部６５５は、アルミニウム物質を含むことができる。サブヒートシンク部６５５は、反射シート２４０を支持する第３突出部６５７を含む。サブヒートシンク部６５５は、第３突出部６５７を介して反射シート２４０と接触し、サブヒートシンク部６５５が第３突出部６５７を介して反射シート２４０と接触する面積は、反射シート２４０と接触しない面積に比べて狭い。第３突出部６５７によって離隔されたサブヒートシンク部６５５と反射シート２４０との間には空気６５９が満たされる。サブヒートシンク部６５５と反射シート２４０との間に空気６５９が満たされるので、ヒートシンク部６５２及びサブヒートシンク部６５５の熱が反射シート２４０、導光板２２０、及び表示パネル１２０に伝わることを防止することができる。
【００５１】
本実施形態によると、ヒートシンク部６５２上にサブヒートシンク部６５５が配置されるので、発光部２１０から発生する熱の放出効率を増加させることができる。また、発光部２１０の熱を伝達するサブヒートシンク部６５５が反射シート２４０に接触する面積が、接触しない面積に比べて狭いので、サブヒートシンク部６５５の熱が導光板２２０及び表示パネル１２０に伝わることを防止することができる。従って、導光板２２０及び表示パネル１２０が熱によって損傷することを防止することができる。
【００５２】
＜第４実施形態＞
図６は、本発明の第４実施形態による表示装置を示す断面図である。
【００５３】
本実施形態による図６の表示装置７００は、第１実施形態による図３の表示装置１００と比較してバックライトアセンブリ８００の下部収納容器８５０を除いては、図３の表示装置１００と実質的に同一である。従って、図３と同じ部材は同じ参照符号で示し、繰り返しになる詳細な説明は省略する。
【００５４】
図６を参照すると、本実施形態による表示装置７００は、上部収納容器１１０、表示パネル１２０、及びバックライトアセンブリ８００を含む。
【００５５】
バックライトアセンブリ８００は、発光部２１０、導光板２２０、光学シート２３０、反射シート２４０、及び下部収納容器８５０を含む。
【００５６】
下部収納容器８５０は、ヒートシンク部８５２及び剛性部８５４を含む。
【００５７】
図７は、図６に示した発光部２１０、ヒートシンク部８５２、及び剛性部８５４の一部を示す斜視図である。
【００５８】
図６及び図７を参照すると、剛性部８５４は、下部収納容器８５０の全体面積を占め、ヒートシンク部８５２は剛性部８５４上の一部に配置される。ヒートシンク部８５２及び剛性部８５４は、締結部材８５６を介して締結される。例えば、締結部材８５６は、スクリュー又はボルトである。発光部２１０の印刷回路基板２１２がメタルコア印刷回路基板である場合、印刷回路基板２１２の背面は、他の金属物質に比べて熱伝導率が相対的に高いアルミニウム物質を含む。また、ヒートシンク部８５２は、アルミニウム物質を含むことができる。従って、発光部２１０は、ヒートシンク部８５２にスクリュー又はボルトのような締結部材を介して結合することができ、これによって、ヒートシンク部８５２及び剛性部８５４が締結された下部収納容器８５０に発光部２１０を結合することができる。
【００５９】
ヒートシンク部８５２は、発光部２１０が配置された位置の下部に配置され、発光部２１０から発生した熱を外部に放出する。
【００６０】
ヒートシンク部８５２は、剛性部８５４の底面と接触する底面８５２ａ、及び底面８５２ａから垂直に延長されて導光板２２０の側面と対向する側壁８５２ｂを含む。
【００６１】
ヒートシンク部８５２の底面８５２ａは、反射シート２４０を支持する第４突出部８５５を含む。ヒートシンク部８５２は、第４突出部８５５を介して反射シート２４０と接触し、ヒートシンク部８５２が第４突出部８５５を介して反射シート２４０と接触する面積は、反射シート２４０と接触しない面積に比べて狭い。第４突出部８５５によって離隔されたヒートシンク部８５２と反射シート２４０との間には空気８５９が満たされる。ヒートシンク部８５２と反射シート２４０との間に空気８５９が満たされるので、ヒートシンク部８５２の熱が反射シート２４０、導光板２２０、及び表示パネル１２０に伝わることを防止することができる。
【００６２】
側壁８５２ｂには発光部２１０の印刷回路基板２１２が付着して導光板２２０の側面と対向する。印刷回路基板２１２は曲がることによって、導光板２２０のコーナー面２２３と対向する位置から短側面２２１と対向する位置に延長することができる。ヒートシンク部８５２の側壁８５２ｂは印刷回路基板２１２に対応して曲げられる。
【００６３】
本実施形態によると、剛性部８５４が下部収納容器８５０の全体面積を占めるので、下部収納容器８５０の強度を増加させることができる。
【００６４】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００６５】
１００、３００、５００、７００    表示装置
１１０    上部収納容器
１２０    表示パネル
１２２    薄膜トランジスタ基板
１２４    カラーフィルタ基板
１３０    モールドフレーム
２００、４００、６００、８００    バックライトアセンブリ
２１０    発光部
２１２    印刷回路基板
２１４    発光チップ
２２０    導光板
２２１    短側面
２２２    長側面
２２３    コーナー面
２２４    出射面
２３０    光学シート
２４０    反射シート
２５０、４５０、６５０、８５０    下部収納容器
２５２、４５２、６５２、８５２    ヒートシンク部
２５２ａ、４５２ａ、６５２ａ、８５２ａ    底面
２５２ｂ、４５２ｂ、６５２ｂ、８５２ｂ    側壁
２５４、４５４、６５４、８５４    剛性部
２５６、４５６、８５６    締結部材
２５８    コーナー側壁
４５５    第１突出部
４５７    第２突出部
４５９、６５９、８５９    空気
６５５    サブヒートシンク部
６５６    第１締結部材
６５７    第３突出部
６５８    第２締結部材
８５５    第４突出部
【図１】
2013041811.tif 000003
【図２】
2013041811.tif 000004
【図３】
2013041811.tif 000005
【図４】
2013041811.tif 000006
【図５】
2013041811.tif 000007
【図６】
2013041811.tif 000008
【図７】
2013041811.tif 000009